(57)【要約】【課題】  果実等の物品の収容トレーにて果実等を宙吊り収納する場合、果実等を支持する合成樹脂フィルムの損傷を防止する。【解決手段】方形直立側板の開口部に果実収容凹部が凹設された合成樹脂薄フィルムを張設し、上記方形直立側板の内側に上記フィルムをその裏面から支持する上向突起を設け、上記果実収容凹部内に果実を宙吊り状態で支持し得る果実等の物品の収容トレーにおいて、上記方形直立側板の内側に２重折畳仕切板を設置し、その山折部側の上縁に上記上向突起を設けることにより、上記上向突起の上記フィルム側の上面を上記仕切板の長手方向に直交する上向の略円弧状面とし、上記上向突起の両端部に上向の略円弧形状に屈曲した延長突出部を形成する。【選択図】  図１
2012116496.tif 000002
【特許請求の範囲】
【請求項１】
方形直立側板の開口部に複数の果実収容凹部が凹設された合成樹脂薄フィルムを宛がい、そのフィルムの外周縁部を上記方形直立側板に接合することにより、当該合成樹脂フィルムを上記開口部に張設し、上記方形直立側板の内側に、上記果実収容凹部間の上記フィルムをその裏面から支持する上向突起を具備し、上記果実収容凹部にて果実を宙吊り状態で支持し得る果実等の物品の収容トレーにおいて、
上記方形直立側板の内側に仕切板を２重に折り畳むことにより形成した２重折畳仕切板を設置し、
その山折部側の上縁に上記上向突起を設けることにより、上記上向突起の上記フィルム側の上面を上記２重折畳仕切板の長手方向に直交する上向の略円弧状面として構成し、
かつ上記上向突起の両端部に上向の略円弧形状に屈曲した延長突出部を形成してなる果実等の物品の収容トレー。
【請求項２】
上記２重折畳仕切板の両端に端部上向突起を設けると共に、該端部上向突起を上記方形直立側板の内面に近接配置し、
上記端部上向突起の位置する上記方形直立側板の上縁部から上記合成樹脂フィルムの裏面側の水平方向に水平内向片を突出形成し、
上記端部上向突起の上端部が上記水平内向片の裏面に当接し得るように構成した請求項１記載の果実等の物品の収容トレー。
【請求項３】
上記２重折畳仕切板の上記上向突起と上記端部上向突起との間には下向切欠部が形成された請求項２記載の果実等の物品の収容トレー。
【請求項４】
上記果実収容凹部に面する上記方形直立側板の側板部に下向切欠部を形成した請求項１〜３の何れかに記載の果実等の物品の収容トレー。
【請求項５】
上記方形直立側板の内側に、上記２重折畳仕切板に交差する区画板を設け、上記合成樹脂フィルムの上記果実収容凹部は、上記２重折畳仕切板と上記区画板によって区画されたエリアに対応する上記合成樹脂フィルムの位置に凹設し、
上記各果実収容凹部に面する上記方形直立側板の側板部に下向切欠部を形成した請求項１〜３の何れかに記載の果実等の物品の収容トレー。
【請求項６】
上記区画板の両端に端部上向突起を設けると共に、上記区画板の上記端部上向突起を上記方形直立側板の内面に近接配置し、
上記区画板の上記端部上向突起の位置する上記方形直立側板の上縁部から上記合成樹脂フィルムの裏面側の水平方向に水平内向片を突出形成し、
上記区画板の上記端部上向突起の上端部が上記水平内向片の裏面に当接し得るように構成した請求項５に記載の果実等の物品の収容トレー。
【請求項７】
上記区画板の板面には下向切欠部が形成されている請求項６記載の果実等の物品の収容トレー。
【請求項８】
上記方形直立側板の下部を段ボール箱内に嵌合挿入し、上部を段ボール蓋で着脱自在に閉鎖し得るよう形成した請求項１〜７の何れかに記載の果実等の物品の収容トレー。
【発明の詳細な説明】
【技術分野】
【０００１】
本発明は桃等の比較的損傷し易く、かつ比較的サイズ大な果実等その他の物品を安全に搬送するための果実等の物品の収容トレーに関するものである。
【背景技術】
【０００２】
従来、果実類収容定形凹部を縦横に整然と成形した硬いトレーの上面に平面状の合成樹脂柔軟薄フィルムを宛がい、上記定形凹部に対応する位置に、果実収容凹部を該フィルムに形成した（特許文献１）。又、薄い熱可塑性合成樹脂フィルムを上記トレーの上面に当接し、上記定形凹部内に遡性変形により、果実収容凹部を形成した（特許文献２）。
【０００３】
これらの果実収容トレーでは、上記フィルムの凹部内に苺などの柔軟小果実を吊下げ状態で収容したが、蜜柑、桃等の比較的大形果実では、果実の重量によって、上記フィルムを吊下げ支持するトレーの境界部上面突部に、上記フィルムの面が強く当接することになるため、上記境界部上面突部と上記フィルムの当接部において、当該フィルム面が変形するおそれがあった。
【０００４】
よって、比較的大形の果実を収容しても、フィルムが変形することなく、大形果実を支障なく吊下げ収容し得る果実等の物品の収容トレーの実現が望まれている。
【先行技術文献】
【特許文献】
【０００５】
【特許文献１】特開２００８−８１１９５号
【特許文献２】特開２００９−９６５４７号
【発明の概要】
【発明が解決しようとする課題】
【０００６】
本発明は、桃、蜜柑その他の比較的中形又は大形で、振動などにより損傷し易い果実等の物品を安全に収容搬送するための収容トレーを得ることを目的とするものであり、比較的重い果実等の物品をフィルムにより宙吊り支持しても、該フィルムの損傷を効果的に防止し得る果実等の物品の収容トレーを提供することを目的とする。
【課題を解決するための手段】
【０００７】
上記の目的を達成するため本発明は、
第１に、方形直立側板（１）の開口部（１ａ）に複数の果実収容凹部（９）が凹設された合成樹脂薄フィルム（８）を宛がい、そのフィルムの外周縁部を上記方形直立側板に接合することにより、当該合成樹脂フィルム（８）を上記開口部（１ａ）に張設し、上記方形直立側板（１）の内側に、上記果実収容凹部（９）間の上記フィルムをその裏面から支持する上向突起を具備し、上記果実収容凹部（９）にて果実を宙吊り状態で支持し得る果実等の物品の収容トレーにおいて、上記方形直立側板（１）の内側に仕切板を２重に折り畳むことにより形成した２重折畳仕切板（３）を設置し、その山折部側の上縁に上記上向突起（３ａ）を設けることにより、上記上向突起（３ａ）の上記フィルム（８）側の上面を上記２重折畳仕切板（３）の長手方向に直交する上向の略円弧状面として構成し、かつ上記上向突起（３ａ）の両端部に上向の略円弧形状に屈曲した延長突出部（７，７）を形成してなる果実等の物品の収容トレーにより構成される。
【０００８】
上記方形直立側板（１）は例えば長方形直立側板（１）であるが、長方形に限らず、正方形の方形直立側板であっても良い。このように構成すると、果実収容凹部（９）に果実を収容して合成樹脂フィルム（８）に下向の荷重が作用した場合、上記フィルム（８）は上向突起（３ａ）の略円弧状面に当接するため、上記フィルム（８）と上記上向突起（３ａ）との当接面におけるフィルムの損傷を防止することができる。また、上記上向突起（３ａ）の両端部に上向き略円弧形状の延長突出部（７，７）が形成されているので、仕切板（３）の長手方向に沿って延びる上向突起（３ａ）と延長突出部（７，７）によって上記フィルム（８）の損傷を効果的に防止することができる。
【０００９】
第２に、上記２重折畳仕切板（３）の両端に端部上向突起（３ｂ，３ｂ）を設けると共に、該端部上向突起（３ｂ，３ｂ）を上記方形直立側板（１）の内面に近接配置し、上記端部上向突起（３ｂ，３ｂ）の位置する上記方形直立側板（１）の上縁部から上記合成樹脂フィルム（８）の裏面側の水平方向に水平内向片（５）を突出形成し、上記端部上向突起（３ｂ，３ｂ）の上端部が上記水平内向片（５）の裏面に当接し得るように構成した上記第１記載の果実等の物品の収容トレーにより構成される。
【００１０】
このように構成すると、果実収容凹部（９）に果実（Ｆ）が収容されて合成樹脂フィルム（８）に下向きの荷重が作用した場合、上記フィルム（８）と上記端部上向突起（３ｂ，３ｂ）は直接接触することなく、上記フィルム（８）は水平内向片（５）によって支持されるので、上記フィルム（８）と水平内向片（５）との当接によるフィルムの損傷を効果的に防止することができる。
【００１１】
第３に、上記２重折畳仕切板（３）の上記上向突起（３ａ）と上記端部上向突起（３ｂ）との間には下向切欠部（６）が形成された上記第２記載の果実等の物品の収容トレーにより構成される。
【００１２】
かかる下向切欠部（６）が存在するので、果実収容凹部（９）内の果実（Ｆ）の仕切板（３）への接触を防止することができる。
【００１３】
第４に、上記果実収容凹部（９）に面する上記方形直立側板（１）の側板部（１’）に下向切欠部（６’）を形成した上記第１〜３の何れかに記載の果実等の物品の収容トレーにより構成される。
【００１４】
かかる下向切欠部（６’）が存在するので、果実収容凹部（９）内の果実（Ｆ）の側板部（１’）への接触を防止することができる。
【００１５】
第５に、上記方形直立側板（１）の内側に、上記２重折畳仕切板（３）に交差する区画板（２）を設け、上記合成樹脂フィルム（８）の上記果実収容凹部（９）は、上記２重折畳仕切板（３）と上記区画板（２）によって区画されたエリアに対応する上記合成樹脂フィルム（８）の位置に凹設し、上記各果実収容凹部（９）に面する上記方形直立側板（１）の側板部（１’）に下向切欠部（６’）を形成した上記第１〜３の何れかに記載の果実等の物品の収容トレーにより構成される。
【００１６】
第６に、上記区画板（２）の両端に端部上向突起（２ａ，２ａ）を設けると共に、上記区画板（２）の上記端部上向突起（２ａ，２ａ）を上記方形直立側板（１）の内面に近接配置し、上記区画板（２）の上記端部上向突起（２ａ，２ａ）の位置する上記方形直立側板（１）の上縁部から上記合成樹脂フィルム（８）の裏面側の水平方向に水平内向片（５）を突出形成し、上記区画板（２）の上記端部上向突起（２ａ，２ａ）の上端部が上記水平内向片（５）の裏面に当接し得るように構成した上記第５記載の果実等の物品の収容トレーにより構成される。
【００１７】
このように構成すると、果実収容凹部（９）に果実（Ｆ）が収容されて合成樹脂フィルム（８）に下向きの荷重が作用した場合、上記フィルムと上記端部上向突起（２ａ，２ａ）は直接接触することなく、上記フィルムは水平内向片（５）によって支持されるので、上記フィルムと水平内向片（５）との当接によるフィルムの損傷を効果的に防止することができる。
【００１８】
第７に、上記区画板（２）の板面には下向切欠部（６）が形成されている上記第６記載の果実等の物品の収容トレーにより構成される。
かかる下向切欠部（６）が存在するので、果実収容凹部（９）内の果実の区画板（２）への接触を防止することができる。
【００１９】
第８に、上記方形直立側板（１）の下部を段ボール箱（１０）内に嵌合挿入し、上部を段ボール蓋（１１）で着脱自在に閉鎖し得るよう形成した上記第１〜７の何れかに記載の果実等の物品の収容トレーにより構成される。
【発明の効果】
【００２０】
本発明は、上述のように、合成樹脂フィルムの果実収容凹部内に果実を収容した状態で上記フィルムにて上記果実を宙吊り支持する際に、上記フィルムの裏面に接触する上向突起の上面を略円弧形状に形成したので、上記フィルムと上記上向突起との当接による上記フィルムの損傷を効果的に防止することができる。
【００２１】
また、上記上向突起の両端部に上向き略円弧形状の延長突出部が形成されているので、仕切板の長手方向に沿って延びる上向突起と延長突出部によって上記フィルムの損傷を効果的に防止することができる。
【００２２】
また、合成樹脂フィルムの果実収容凹部内に果実を収容した状態で上記フィルムにて上記果実を宙吊り支持する際に、端部上向突起の位置においては、上記フィルムと端部上向突起が直接接触せず、水平内向片を介して上記フィルムを支持するように構成したので、上記端部上向突起の位置においても上記フィルムの損傷を効果的に防止することができる。
【００２３】
また、２重折畳仕切板或いは区画板或いは方形直立側板に下向切欠部を設けたので、果実収容凹部内に支持された果実が上記仕切板或いは区画板或いは方形直立側板に当接することによる損傷を効果的に防止することができる。
【図面の簡単な説明】
【００２４】
【図１】本発明に係る果実等の物品の収容トレーの長方形直立側板に内部仕切板を挿入係合する状態を示す斜視図である。
【図２】同上トレーにおける長方形直立側板の組み立て前の分解斜視図である。
【図３】同上トレーにおける長方形直立側板の組み立て前の斜視図である。
【図４】同上トレーにおける長方形直立側板の斜視図である。
【図５】（イ）は同上トレーにおける２重折畳仕切板の展開斜視図、（ロ）は同上トレーにおける上記仕切板の２重折畳状態の斜視図である。
【図６】（イ）は同上トレーにおける区画板の組み立て前の斜視図、（ロ）は同上トレーにおける区画板の斜視図である。
【図７】（イ）は同上トレーにおける２重折畳仕切板の上向突起の斜視図、（ロ）は（イ）のＡ−Ａ線による縦断面図、（ハ）は（イ）のＢ−Ｂ線による平面図である。
【図８】同上トレーを段ボール箱に組み込む状態を示す組み立て斜視図である。
【図９】同上トレーを設置した段ボール箱及び蓋の縦断面図である。
【図１０】（イ）は図９のＣ−Ｃ線による平面図、（ロ）は（イ）のＤ−Ｄ線による縦断正面図、（ハ）は（ロ）のＥ−Ｅ線による側面断面図である。
【発明を実施するための形態】
【００２５】
長方形段ボール箱１０の上面開口部内周側面１０’に長方形直立側板（方形直立側板）１（図１）の下部外周側面（側板部）１’を嵌合挿入し（図８、図１０参照）、該直立側板１の上部外周側面１”に長方形段ボール蓋１１の内周側面１１’を着脱自在に嵌合して上記段ボール箱１０を開閉する（図８、図１０参照）。
【００２６】
上記長方形直立側板（方形直立側板）１の内部（内側）には図１０（イ）点線で示すように、段ボール紙による区画板２，２（図１、図６（ロ）参照）を設けて上記長方形直立側板１の内部を複数に区分し、該区画板２，２の中央部のスリット２ｂ，２ｂにそれぞれ段ボール紙による２重折畳仕切板３（図１、図５（ロ）参照）を直交させることによって、図８、図１０（イ）に示されるように該仕切板３及び上記区画板２のそれぞれ両側に両板２，３及び上記側板１によって囲まれる方形果実収容部４を６個形成する。
【００２７】
上記長方形直立側板１を組み立てる前の展開図を図２に示す。この長方形直立側板１は、図２の展開状態において、中央部に略方形の開口部１ａを有する略長方形状の枠体を構成しており、その外周上面１ｂに合成樹脂フィルム８を宛がい、上記長方形直立側板１の外周上面１ｂとそれに対応する上記合成樹脂フィルム８の外周縁部８ａとを接着（接合）することにより、図３のような合成樹脂フィルム付の枠体を形成する。さらに、図３の展開状態から、長方形の各辺を構成する側板部１’（下部外周側面１’）を上記合成樹脂フィルム８の表面に対して直交するように、一方向に折り曲げることにより、図４に示す長方形直立側板１を形成することができる。図４の長方形直立側板１は、上記側板部１’を上記方向に折り曲げることによって、上記開口部１ａにおける合成樹脂フィルム８は張設状態（ピンと張った状態）となり、該フィルム８に形成された複数（実施形態では６個）の果実収容凹部９内に果実Ｆを図９に示すように宙吊り収容し得るように構成されている。
【００２８】
図１、図１０（イ）に示すように、上記区画板２及び上記仕切板３のそれぞれ両端は端部上向突起２ａ，３ｂが各々形成されており、該端部上向突起２ａ，３ｂの外側縁部を上記直立側板１の内面（内側１ａ’）と直交接触又は直交近接させる（図１０（イ））。上記各端部上向突起２ａ，３ｂが位置する上記長方形直立側板１の上縁部には、上記側板１を延長して内側に、即ち上記合成樹脂フィルム８の裏面側の水平方向に屈曲して小円弧形水平内向片（水平内向片）５，５を各々形成し、この水平内向片５，５を内側に向って長辺側に２か所、短辺に１か所、合計６か所突出形成する（図８、図１０（イ）参照）。よって、これら水平内向片５，５の裏面には上記端部上向突起２ａ，３ｂが位置しており、上記合成樹脂フィルム８は上記水平内向片５，５の上面側に張設された状態となっている。
上記区画板２の上記端部上向突起２ａは、１枚の区画板２に一対の下向切欠部６，６が形成されることにより、上記切欠部６，６の両端外側に上向きに突出形成されており、２枚の区画板２，２では計４箇所の端部上向突起２ａが形成されている。上記２重折畳仕切板３はその板面に３箇所の下向切欠部６が形成されており、その下向切欠部６の内、両端部の下向切欠部６の外側に各々上記端部上向突起３ｂが上向きに突出形成されている。
【００２９】
又、上記区画板２及び２重折畳仕切板３のそれぞれ上縁には隣接する上記果実収容部４，４に連通する略円弧形又は台形又は方形（実施形態では円弧形状）の下向切欠部６，６を形成し（図１、図５参照）、これらの収容部４，４の外側を形成し、該収容部４，４の果実収容凹部９にそれぞれ対応する（面する）上記長方形直立側板１の側板部１’にも略円弧形又は台形又は方形の下向切欠部６’（実施形態では台形の下向切欠部６’）を形成する（図４）。よって、隣接する上記果実収容部４，４間は、上記区画板２及び仕切板３の上記下向切欠部６，６が存在することにより、果実収容凹部９内に収容された果実が、左右方向（水平方向）に振動しても、区画板２及び仕切板３に当接しないように構成している。
【００３０】
また、上記果実収容部４，４を構成する上記長方形直立側板１の側板部１’にも、各果実収容部４毎に、上記台形の下向切欠部６’が形成されている（図８参照）。よって、上記果実収容凹部９に収容された果実Ｆは、左右方向（水平方向）に振動しても、上記長方形直立直板１の側板部１’に直接当接することがないように構成されている。
【００３１】
上記２重折畳仕切板３は、展開状態では、図５（イ）に示すように、三箇所の下向切欠部６が併設され、上記各切欠部６間の外周縁に、区画板２挿入用のスリット１６，１６が２箇所に形成され、かかる構成のものが、上記切欠部６同士を対向させ、中央の２箇所の連結部１２，１２を以って線対称に一体形成された形状をなしている。そして、上記３つの下向切欠部６，６同士を連結する上記中央２箇所の連結部１２，１２には、中央の屈曲線３’を中心として、各連結部１２，１２の両端部に円弧状の延長突出部７，７が各々形成されている。
【００３２】
上記２重折畳仕切板３は図５（イ）の構成のものを上記中央の屈曲線３’にて図５（ロ）に示すように２重に折り畳むことにより構成される。従って、かかる展開状態の仕切板３を上記屈曲線３’を中心に山折りに折り畳むことにより、図５（ロ）に示すように、上記連結部１２，１２の部分が上方に突出し、これら連結部１２，１２の部分に２箇所の上向突起３ａ，３ａが形成され、上記仕切板３の両端部に端部上向突起３ｂ，３ｂが形成されている。
【００３３】
このとき、上記屈曲線３’の外周面（山折部側の上縁）は図７（イ）（ロ）（ハ）に示すように、上記屈曲線３’に直交する方向（仕切板３の長手方向に直交する方向）に略円弧形状に滑らかに湾曲して略円弧状面の上向突起３ａを形成し、該上向突起３ａの上端部に合成樹脂フィルム８が当接して上記フィルム８の下方向（矢印Ｘ方向）に荷重が作用しても（図７（ロ）参照）、上記合成樹脂フィルム８の当接面を容易に損傷しないように構成されている。
【００３４】
また、上記延長突出部７，７もその上面側の山折部側の上縁は、上記屈曲線３’に直交する方向（仕切板３の長手方向に直交する方向）に略円弧形状に滑らかに湾曲（屈曲）して上向の略円弧形状の屈曲部７ａ，７ａを形成し、この部分においても、上記合成樹脂フィルム８の面を容易に損傷しないように構成されている。さらに上記延長突出部７，７は、上記仕切板３を２重に折り畳むと、その上面が上記屈曲線３’の方向（仕切板３の長手方向）に沿って下り傾斜面３”，３”が形成されるので（図７（イ）参照）、上記フィルム８に下方向（矢印Ｙ方向）に荷重が作用した場合においても、上記互いに上記傾斜面３”，３”の下り傾斜の延長突出部７，７に沿って合成樹脂フィルム８が撓むため、該合成樹脂フィルム８を容易に損傷しないように構成されている。また、上記延長突出部７，７はその展開状態では図５（イ）に示すように先端円弧状の平面突起であるが、上述のように山折りに折り畳むと、図５（ロ）に示すように先端部が上向き略円弧形状に屈曲した屈曲部７ａ，７ａを有する延長突出部７，７が形成される。
【００３５】
即ち、上記区画板２と上記２重折畳仕切板３との交差部においては、該仕切板３の上縁折畳部（山折部側の上縁）は図７（ロ）に示すように、段ボール板の外周面は仕切板３の長手方向に直交する方向の略円弧形に屈曲して上向突起３ａを形成し、該上向突起３ａの両端部が図７（イ）及び（ハ）に示すように上記切欠部６，６側に突出して延長突出部７，７を形成し、該延長突出部７，７を上記切欠部６，６上に図７（イ）（ロ）及び（ハ）に示すように、その上面がほぼ円弧形になるように突出させる。又、上記屈曲によって上記延長突出部７，７の上面も仕切板３の長手方向に略直交する方向に湾曲した円弧形に形成され、上記屈曲部７ａを形成する。さらに、延長突出部７，７の幅Ｅは拡がって仕切板３の幅ｅより大に形成される（図７（ハ））。これにより、上記幅広の延長突出部７，７によって上記合成樹脂フィルム８の表面の損傷を極力防止している。
また、上記上向突起３ａ自体が上記仕切板３の長手方向に沿って長く形成されており、さらにその両端に延長突出部７，７が形成されるので、上記上向突起３ａと上記延長突出部７が仕切板３に沿って長く延びる構成となり、このようにフィルム面を仕切板３に沿って長く形成された上向円弧状部によって支持することができるので、フィルム８に与える損傷を極力抑制することができる。
【００３６】
このように形成した方形直立側板１の外周面に該側板１の上縁内周面に張設した合成樹脂フィルム８の外周を接着剤で接着する。
【００３７】
上記フィルム８の上面には上記方形果実収容部４に対応する位置にそれぞれ略半円形果実収容凹部９が塑性変形により形成されている。この合成樹脂フィルム８は、熱可塑性合成樹脂による薄フィルムであり、ポリエチレン、ポリプロピレン、ポリウレタン、ポリスチレン等の薄膜フィルムが用いられる。そのフィルム８の厚みは、３０μｍ〜１５０μｍであり、その厚みは収容する果実の大きさ（重量）によって決定される。例えば桃等の比較的大きく重い果実の場合は１００μｍ、苺等の比較的小さく軽い果実の場合は６０μｍとすることができる。
【００３８】
この合成樹脂フィルム８の果実収容凹部９は、所謂真空成形により形成することができる。即ち、事前に加熱した上記合成樹脂フィルム８を上記果実収容凹部９と同一の半円形の成形用凹部の形成された真空成形型上に載置し、真空成形型下方向に真空吸引することにより、上記成形用凹部に沿って上記フィルム８を塑性変形させる。これにより、図２に示すように複数の柔軟な果実収容凹部９を有する柔軟な合成樹脂フィルム８を形成することができる。上記フィルム８は極めて薄いので、上記果実収容凹部９は塑性変形後も柔軟性を有しており、当該果実収容凹部９内に果実を収容すると、上記凹部９を形成するフィルム８が果実の下半部に密着して果実を確実に支持し得るものである。尚、図２の合成樹脂フィルム８はその外周縁部８ａが、長方形直立側板１の展開形状と同一形状に加工されている。
【００３９】
尚、図１０（イ）において、上記長方形直立側板１におけるコーナー部の符号５’で示すものは、上記各側板部１’を連結する機能を有すると共に、コーナー部を補強する機能を有する連結部であり、当該連結部５’は上記長方形直立側板１と一体的に形成され、組み立て状態においては、上記合成樹脂フィルム８の裏面側に位置している（図４）。また、図３に示す各側板部１’の各々の外縁両端部には係合片１３，１３と係合凹部１４，１４が各々形成されている。
【００４０】
また、図６において２’は上記区画板２，２を連結する連結板であり、上記区画板２，２は当該連結板２’に対して対向直立させることにより形成される。尚、２ｂは区画板２中央に設けられたスリットであり、上記仕切板３のスリット１６が挿入嵌合されるものである。
【００４１】
本発明は上述のように構成されるものであるから、まず、図３に示す展開状態の長方形直立側板１（合成樹脂フィルム８付）の各側板部１’を合成樹脂フィルム８の表面に対して直交するように同一方向に折り曲げて、図４の長方形直立側板１を形成する。このとき、各側板部１’の小円弧形水平内向片５は合成樹脂フィルム８の面に平行となるように位置させる。よって、上記小円弧形水平内向片５と上記側板１’とは各々直交状態となる。また、組み立て時に各側板部１’の各係合片１３を隣接する側板部１’の係合凹部１４内に係合することにより、各側板部１’を連結する（図４参照）。
【００４２】
次に、図６（イ）に示す区画板２，２を対向するように起立させて図６（ロ）の区画板２，２を形成し、上記区画板２，２の中央突出部のスリット２ｂ，２ｂに、図５（イ）の状態から２重に折り畳んだ２重折畳仕切板３を、そのスリット１６，１６から直交状態で挿入嵌合させて、図１に示す内部仕切板１５を形成する。その後、図１に示すように、上記内部仕切板１５を上記長方形直立側板１の下方よりその内部（内側）に挿入し（図１矢印参照）、上記区画板２の端部上向突起２ａ，２ａ（４か所）が上記長辺側の側板部１’の小円弧形水平内向片５（４か所）の裏面に当接又は近接し、上記仕切板３の端部上向突起３ｂ，３ｂ（２か所）が上記短辺側の側板部１’の小円弧形水平内向片５（２か所）の裏面に当接又は近接するように設置する（図８の状態）。
【００４３】
この状態では、上記区画板２の両端が上記長方形直立側板１の長辺側の内側１ａ’に接触又は近接し、上記仕切板３の両端が上記長方形直立側板１の短辺側の内側１ａ’に接触又は近接し、これにより、上記長方形直立側板１の内部が６つの果実収容部４に区画された状態となる（図８の状態）。このとき、上記２重折畳仕切板３の上向突起３ａ，３ａ及び延長突出部７，７は、上記合成樹脂フィルム８の中央の一対の果実収容凹部９，９と一方の短辺側の果実収容凹部９，９の４つの果実収容凹部によって囲まれる平面位置８ｂの裏面側と、上記中央の一対の果実収容凹部９，９と他方の短辺側の果実収容凹部の４つの果実収容凹部によって囲まれる平面位置８ｃの裏面側に位置し、当該位置の上記フィルム８の裏面を支持し得るようになっている。
【００４４】
その後、図８に示すように、上記内部仕切板１５を嵌め込んだ上記長方形直立側板１を長方形段ボール箱１０内に、図９に示すように、直立側板１の下端が上記段ボール箱の底面に接するように設置する。このとき、上記各果実収容凹部９と上記段ボール箱の底面との間に空間ｔが形成され（図９）、果実Ｆを上記果実収容凹部９内に宙吊り状態で収容できる。そして、上記果実Ｆを上記果実収容凹部９内に収容し、上記長方形段ボール蓋１１をその上面から被覆すればよい。
【００４５】
上記果実収容凹部９内に果実を収容すると、各果実収容部４において、果実Ｆは果実収容凹部９によって吊下げ支持される。このとき、各果実収容部４において、上記フィルム８の水平面（表面）は、果実Ｆの荷重によって、上記上向突起３ａ、小円弧形水平内向片５、コーナー部の連結部５’に強く当接した状態で、上記果実Ｆを果実収容凹部９を以って吊下げ支持することになる。
【００４６】
この状態において、上記合成樹脂フィルム８は上記果実Ｆの重量により、該フィルム８に下方向きの力が作用するが、上記フィルム８に接触する上向突起３ａ，３ａは、その上面が円弧形状に形成されているので、果実Ｆの荷重が上記フィルム８に作用しても上記上向突起３ａと上記フィルム８との接触部における上記フィルム８の損傷を効果的に防止することができる。
【００４７】
また、上記果実Ｆの荷重が上記フィルム８に作用すると、上記フィルム８は果実Ｆの荷重により上記小円弧形水平内向片５、コーナー部ではさらに連結部５’に強く当接するが、当該水平内向片５及び連結部５’は、水平方向に所定の広さを有する水平な面積（面）を有しているので、上記フィルム８の当接部の損傷を効果的に防止することができる。即ち、細い板状の端部又は先端が細く突出した山状端部を構成する端部上向突起２ａ，３ｂに、上記合成樹脂フィルム８が直接当接する場合に比較して、上記連結部５’及び上記水平内向片５は、水平方向に所定の広さの面積（水平面）を有しているので、当接部においてフィルム８の損傷を効果的に防止することができる。
【００４８】
さらに、上記区画板２及び仕切板３には、下向切欠部６が形成されており、さらに上記長方形直立側板１の側板部１’においても、下向切欠部６’が形成されているので、果実収容凹部９内に収容された果実Ｆが左右方向（水平方向）に振動しても、果実Ｆは上記区画板２、仕切板３、上記側板部１’に接触することはなく、これらの板部への接触による果実Ｆの損傷をも効果的に防止することができる。
【００４９】
即ち、上記フィルム８は水平面を形成する小円弧形内向水平片５に当接するので、果実Ｆの重量が作用しても、上記フィルム８が当該小円弧形内向水平片５によって損傷を受けることを防止することができる。
【００５０】
また、上記フィルム８は湾曲面を構成する上向突起３ａの円弧状の上面に当接するので、果実Ｆの重量が作用しても、上記フィルム８が上記上向突起３ａによって損傷を受けることを防止することができる。
【００５１】
また、上記果実収容凹部９内に収容された果実Ｆが振動等によって水平方向に移動したとしても、上記長方形直立側板１の側板部１’には下向切欠部６’が形成されているので、果実Ｆが直接側板部１’に接触することはなく、果実Ｆの損傷を防止することができる。
【００５２】
また、上記凹部９に果実Ｆを挿入又は嵌入収容すると該凹部９は該果実Ｆの外面によって上記切欠部６，６及び隣接果実収容部４，４に向って拡大し、収容果実Ｆは上記小円弧形水平内向片５又は上記延長突出部７によっても緩衝され、水平方向の振動が極力抑制され緩衝支持される。
【００５３】
上下方向には凹部９が上記直立側板１より浅いため、上下振動による底板１２との空間ｔによって、衝撃が防止される。
【００５４】
上記各凹部９に桃等の大形又は中形果実Ｆを挿入すると、該凹部９を形成する合成樹脂フィルム８は上記果実Ｆの形状に倣い、又は該果実Ｆの外面に押されて拡大し、その状態で上記果実Ｆは上記収容凹部９を介して上記延長突出部７又は小円弧形水平内向片５に当接緩衝され、上記側板部１’、区画板２及び上記仕切板３或いは、直立側板１への衝突が緩和され、果実外面の上記側板１、区画板２又は仕切板３への衝接による損傷が防止される。
上記実施形態では、果実収容凹部９が６個の場合を説明したが、果実収容凹部９の数はこれに限定されず、また、区画板２を使用せずに、２重折畳仕切板３のみで構成しても良い。例えば、１つの２重折畳仕切板３によって、長方形直立板１を２箇所に区画して２箇所の果実収容部４，４を設け、該２箇所の果実収容部４，４に対応した２個の果実収容凹部９，９を有する果実等の物品の収容トレーとしても良い。
【００５５】
本発明は、上述のように、合成樹脂フィルム８の果実収容凹部９内に果実Ｆを収容した状態で上記フィルム８にて上記果実Ｆを宙吊り支持する際に、上記フィルム８の裏面に接触する上向突起３ａの上面を円弧形状に形成したので、上記フィルム８と上記上向突起３ａとの当接による上記フィルム８の損傷を効果的に防止することができる。
【００５６】
また、上記上向突起３ａの両端部に上向き円弧形状の延長突出部７，７が形成されているので、仕切板３の長手方向に沿って延びる上向突起３ａと延長突出部７，７によって上記フィルム８の損傷を効果的に防止することができる。
【００５７】
また、合成樹脂フィルム８の果実収容凹部９内に果実Ｆを収容した状態で上記フィルム８にて上記果実Ｆを宙吊り支持する際に、端部上向突起２ａ，３ｂの位置においては、上記フィルム８と端部上向突起２ａ，３ｂが直接接触せず、水平内向片５を介して上記フィルム８を支持するように構成したので、上記端部上向突起２ａ，３ｂの位置においても上記フィルム８の損傷を効果的に防止することができる。
【００５８】
また、２重折畳仕切板３或いは区画板２或いは長方形直立側板１に下向切欠部６，６’を設けたので、果実収容凹部９内に支持された果実Ｆが上記仕切板３或いは区画板２或いは長方形直立側板１に当接することによる損傷を効果的に防止することができる。
【産業上の利用可能性】
【００５９】
上記方形直立側板１、小円弧形水平内向片５、区画板２を１重段ボール板で形成し、２重折畳仕切板３の上縁を円弧形に折曲げて形成する。そのため、上向突起３ａは上面が円弧形に形成され、そのため上記延長突出部７，７のそれぞれ上面も略円弧形に形成され、かつ該延長突出部７，７の外周縁も円弧形に形成するものである（図７（イ）（ロ）（ハ））。尚、図中５’は直交する側板部１’，１’間に設けた３角形接続片（連結部）である。本発明の果実等の物品の収容トレーは、果実類は勿論、野菜類、その他の食品、さらには、電子部品等、緩衝包装が必要な各種の物品に適用が可能である。
【符号の説明】
【００６０】
１          方形直立側板（長方形直立側板）
１’        側板部
１ａ        開口部
２          区画板
２ａ        端部上向突起
３          ２重折畳仕切板（仕切板）
３ａ        上向突起
３ｂ        端部上向突起
５          小円弧形水平内向片（水平内向片）
６，６’    下向切欠部
７          延長突出部
８          合成樹脂フィルム
９          果実収容凹部
１０        段ボール箱（長方形段ボール箱）
１１        段ボール蓋（長方形段ボール蓋）
【図１】
2012116496.tif 000003
【図２】
2012116496.tif 000004
【図３】
2012116496.tif 000005
【図４】
2012116496.tif 000006
【図５】
2012116496.tif 000007
【図６】
2012116496.tif 000008
【図７】
2012116496.tif 000009
【図８】
2012116496.tif 000010
【図９】
2012116496.tif 000011
【図１０】
2012116496.tif 000012